(57)【要約】【課題】  使い勝手が良く、また機械的構造が簡単で、且つ機械的強度を向上できる背もたれ機能付き便座装置を得る。【解決手段】  便器２の後部上面に設けられる台座３と、後部が前記台座３に回転自在に支持されて便器開口部４の上に載せられた状態と前記便器開口部４から起立された状態とをとる便座５と、前記台座３に起伏自在に支持された便蓋支持部６と、前記便蓋支持部６に回転自在に支持されて、便蓋支持部６の倒伏時には裏面が便器開口部４上にある便座５に被せられる状態となり、便蓋支持部６の起立時には表面が便座５側を向き表面で使用者の背を支えることが可能な便蓋７と、前記便蓋支持部６の起立状態を支える起立状態支え部８とを備えてなり、前記便蓋支持部６にあっては、その後端部を前記台座３の左右に設けた１対のブラケット部１１，１１の間に入れて起伏自在に支持させ、また前記便蓋７にあっては、その前後方向の中間部で前記便蓋支持部６の先端部に回転自在に支持させた。【選択図】    図２
2009247636.tif 000002
【特許請求の範囲】
【請求項１】
便器の後部上面に設けられる台座と、後部が前記台座に回転自在に支持されて便器開口部の上に載せられた状態と前記便器開口部から起立された状態とをとる便座と、前記台座に起伏自在に支持された便蓋支持部と、前記便蓋支持部に回転自在に支持されて、便蓋支持部の倒伏時には裏面が便器開口部上にある便座に被せられる状態となり、便蓋支持部の起立時には表面が便座側を向き表面で使用者の背を支えることが可能な便蓋と、前記便蓋支持部の起立状態を支える起立状態支え部とを備えてなり、前記便蓋支持部にあっては、その後端部が前記台座の左右に設けられた１対のブラケット部の間に入って起伏自在に支持され、また前記便蓋にあっては、その前後方向の中間部で前記便蓋支持部の先端部に回転自在に支持されていることを特徴とする背もたれ機能付き便座装置。
【請求項２】
前記便蓋支持部の起立状態を支える前記起立状態支え部は前記便蓋支持部の後端部に設けられ、前記便蓋支持部が起立したとき前記起立状態支え部が前記台座の表面に当接して前記便蓋支持部の起立状態を支えるようになっていることを特徴とする請求項１に記載の背もたれ機能付き便座装置。
【請求項３】
前後方向の中間部で前記便蓋支持部の先端部に回転自在に支持された前記便蓋は、前記便蓋部の左右にブラケット部を有し、前記便蓋支持部の先端部が前記左右のブラケット部間に挿入されてこれら左右のブラケット部に回転自在に支持されており、便蓋支持部の起立時に前記便蓋支持部に支持された前記便蓋が回転してその表面が便座側を向いたとき、前記便蓋の先端部が前記便蓋支持部に当接し、便蓋の表面が便座側を向いた状態を保持できるようになっていることを特徴とする請求項１又は２に記載の背もたれ機能付き便座装置。
【発明の詳細な説明】
【技術分野】
【０００１】
本発明は、使用者が便座に腰掛けた状態でその背部を、起立した便蓋の表面に当ててもたれかかれる構造の背もたれ機能付き便座装置に関するものである。
【背景技術】
【０００２】
洋式便器は、その使い易さから、殆どの家庭やオフィス等で使用されている。洋式便器は和式と違って便座に座った体勢で使用できることから楽に使用できるが、例えば、身体的理由或いはその他の理由で長時間使用するといったことがあり、長時間の使用に苦痛を感じる場合がある。そこで、長時間楽に使用できるようにするものとして、便器に背もたれを備えることが望まれる。
【０００３】
従来、背もたれを備えた便器として、実用化されているものは見当たらず、僅かに、特許文献１に、便器を土台として、固定装置を便器の左右に装着し、この固定装置へ下側パイプを通し、左右に配置される支柱を下側パイプの両端へ設置し、上側パイプへ背もたれと蓋を装着し、その上側パイプを左右の支柱へ設置した洋式水洗トイレの蓋が開示されているだけである。
【０００４】
特許文献１に開示されている洋式水洗トイレの蓋は、その構成が極めて複雑で、使い勝手も悪そうであり、また機械的強度が不足し、信頼して使用できないといった不安が感じられる。
【特許文献１】特開２００２−３３０８９９号公報
【発明の開示】
【発明が解決しようとする課題】
【０００５】
上記のように、特許文献１で開示されている洋式水洗トイレの蓋は、その構成が極めて複雑で、使い勝手も悪そうであり、また機械的強度が不足し、信頼して使用できないといった不安が感じられるといった問題がある。
【０００６】
本発明の目的は、使い勝手が良く、また機械的構造が簡単で、且つ機械的強度を向上できる背もたれ機能付き便座装置を提供することにある。
【課題を解決するための手段】
【０００７】
上記の目的を達成するための構成を示すと、次の通りである。
【０００８】
請求項１に記載の発明は、便器の後部上面に設けられる台座と、後部が前記台座に回転自在に支持されて便器開口部の上に載せられた状態と前記便器開口部から起立された状態とをとる便座と、前記台座に起伏自在に支持された便蓋支持部と、前記便蓋支持部に回転自在に支持されて、便蓋支持部の倒伏時には裏面が便器開口部上にある便座に被せられる状態となり、便蓋支持部の起立時には表面が便座側を向き表面で使用者の背を支えることが可能な便蓋と、前記便蓋支持部の起立状態を支える起立状態支え部とを備えてなり、前記便蓋支持部にあっては、その後端部が前記台座の左右に設けられた１対のブラケット部の間に入って起伏自在に支持され、また前記便蓋にあっては、その前後方向の中間部で前記便蓋支持部の先端部に回転自在に支持されていることを特徴とする。
【０００９】
請求項２に記載の発明は、請求項１に記載の、前記便蓋支持部の起立状態を支える前記起立状態支え部は前記便蓋支持部の後端部に設けられ、前記便蓋支持部が起立したとき前記起立状態支え部が前記台座の表面に当接して前記便蓋支持部の起立状態を支えるようになっていることを特徴とする。
【００１０】
請求項３に記載の発明は、請求項１または２に記載の、前後方向の中間部で前記便蓋支持部の先端部に回転自在に支持された前記便蓋は、前記便蓋部の左右にブラケット部を有し、前記便蓋支持部の先端部が前記左右のブラケット部間に挿入されてこれら左右のブラケット部に回転自在に支持されており、便蓋支持部の起立時に前記便蓋支持部に支持された前記便蓋が回転してその表面が便座側を向いたとき、前記便蓋の先端部が前記便蓋支持部に当接し、便蓋の表面が便座側を向いた状態を保持できるようになっていることを特徴とする。
【発明の効果】
【００１１】
本発明に係る背もたれ機能付き便座装置によれば、使用に際し、便座に被さっている便蓋を持ち上げると、便蓋を支持している便蓋支持部が起立し、起立状態支え部により便蓋支持部が起立状態に支えられる。この状態で便蓋支持部に回転自在に支持されている便蓋を、その表面が便座側を向くように回転させる。このようにすることにより、使用者が便座に腰掛けたとき起立状態にある便蓋支持部に支持されている便蓋が背もたれ部となってその表面で使用者の背を支えることができる。
【００１２】
さらには、使い勝手が良く、また背もたれさせるための機械的構造が非常に簡単で、且つ機械的強度を向上できる背もたれ機能付き便座装置が得られる。
【発明を実施するための最良の形態】
【００１３】
以下、本発明に係る背もたれ機能付き便座装置を実施するための最良の形態を、実施例にて詳細に説明する。
【００１４】
図１は本実施例の背もたれ機能付き便座装置の便蓋を便座に被せた状態を示す斜視図、図２は本実施例の背もたれ機能付き便座装置の分解斜視図、図３は本実施例の背もたれ機能付き便座装置の便蓋を持ち上げた状態を示す斜視図、図４は本実施例の背もたれ機能付き便座装置の便蓋を背もたれとさせた状態を示す斜視図、図５は、図４のＡ−Ａ線断面図である。
【００１５】
本実施例の背もたれ機能付き便座装置１は、便器２の後部上面に設けられる台座３と、後部が台座３に回転自在に支持されて便器開口部４の上に載せられた状態と便器開口部４から起立された状態とをとる便座５と、台座３に起伏自在に支持された便蓋支持部６と、便蓋支持部６に回転自在に支持されて、便蓋支持部６の倒伏時には裏面が便器開口部４上にある便座５に被せられる状態となり、便蓋支持部６の起立時には表面が便座５側を向き表面で使用者の背を支えることが可能な便蓋７と、便蓋支持部６の起立状態を支える起立状態支え部８とを備えている。
【００１６】
便器２の後部上面に設けられる台座３は、本例では便器２と別体に構成され、適宜の固定手段（図示せず）により固定されて取り付けられている。この台座３は、板状のベース部９と、ベース部９の上面に設けられ、その前端部を前側へ突き出し、ベース部９より狭幅の便座支持部１０と、ベース部９の後部の左右に、便座支持部１０の両側に位置して対向して立設されたブラケット部１１，１１とにより構成されている。便座支持部１０の前端部には幅方向に、便座５の後述するブラケット部を接続するための軸を挿通する軸挿通孔１２が設けられている。ブラケット部１１，１１には、便蓋支持部６の後端部を接続するための軸を挿通する軸挿通孔１３，１３が設けられている。
【００１７】
台座３に回転自在に支持される便座５にあっては、その中央部に便器開口部４と連通する孔１４が設けられており、後部の左右にはブラケット部１５，１５が対向して立設され、このブラケット部１５，１５の間には後端部に切り欠き開口し、前記した便座支持部１０の前端部を嵌める凹部１６が設けられている。ブラケット部１５，１５には、凹部１６に便座支持部１０の前端部を嵌めたとき、便座支持部１０の前端部に設けられた軸挿通孔１２と一致する位置に軸挿通孔１７，１７が設けられている。
【００１８】
そして、便座５のブラケット部１５，１５と便座支持部１０の前端部とは、便座５の後端部に設けられている凹部１６に便座支持部１０の前端部を嵌め、便座支持部１０の前端部に設けられた軸挿通孔１２とブラケット部１５，１５に設けられた軸挿通孔１７，１７に軸１８を挿通することにより接続されており、これにより便座５は便座支持部１０に回転自在に支持され、回転して便器開口部４の上に載せられた状態と便器開口部４から起立された状態とをとるようになっている。
【００１９】
また、台座３に起伏自在に支持された便蓋支持部６にあっては、本例では、横幅が台座３を構成するベース部９の後部の左右に対向して立設されているブラケット部１１，１１の内側に収まる寸法に形成された略四角形の板状体からなり、その後端部に幅方向に軸挿通孔１９が設けられている。
【００２０】
そして、ベース部９の後部の左右に対向して立設されているブラケット部１１，１１と便蓋支持部６の後端部とは、ブラケット部１１，１１間に便蓋支持部６の後端部を収め、ブラケット部１１，１１に設けられた軸挿通孔１３，１３と便蓋支持部６の後端部に設けられた軸挿通孔１９とを一致させて軸２０を挿通することにより接続されており、これにより便蓋支持部６は台座３を構成するベース部９に立設されているブラケット部１１，１１に回転自在、即ち、起伏自在に支持されている。
【００２１】
この便蓋支持部６には、便蓋支持部６の起立状態を支える起立状態支え部８が備えられている。起立状態支え部８としては、便蓋支持部６の起立状態を支えることができるものであればその構成に特に限定されるものではない。
【００２２】
起立状態支え部８は、便蓋支持部６の後端部に一つのブロックとして立設されている。本例では、起立状態支え部８は、便蓋支持部６に一体に形成されており、便蓋支持部６の後端部の端面２１が便蓋支持部６の起立方向に延長し、この端面２１の延長した面を起立状態支え部８としているものであって、便蓋支持部６が起立したとき便蓋支持部６の後端部の端面２１の延長した面で構成される起立状態支え部８が台座３を構成する便座支持部１０の表面に当接して便蓋支持部６の起立状態を支えるようになっている。
【００２３】
また、便蓋支持部６の先端部には、便蓋７の後述するブラケット部を接続するための軸を挿通する軸挿通孔２２が幅方向に設けられている。
【００２４】
また、便蓋支持部６に回転自在に支持された便蓋７にあっては、その前後方向の中間部で便蓋支持部６の先端部に回転自在に支持されている。本例では、便蓋７の左右側縁に、裏面側に立設されたブラケット部２３，２３を有し、このブラケット部２３，２３の前後方向の中間位置には、軸挿通孔２４，２４が対向位置に設けられている。
【００２５】
そして、便蓋７の左右側縁に立設されたブラケット部２３，２３と便蓋支持部６の先端部とは、ブラケット部２３，２３間に便蓋支持部６の先端部を収め、ブラケット部２３，２３に設けられた軸挿通孔２４，２４と便蓋支持部６の先端部に設けられた軸挿通孔２２を一致させて軸２５を挿通することにより接続されており、これにより便蓋７は便蓋支持部６の先端部に回転自在に支持されている。
【００２６】
そして、便蓋７は、便蓋支持部６の倒伏時には裏面が便器開口部４上にある便座５に被せられる状態となる。また、便蓋支持部６の起立時に、便蓋支持部６に支持されている便蓋７を便座５側に回転させその表面７ａを便座５側に向けたとき、便蓋７の先端部７ｂが便蓋支持部６に当接し、便蓋７の表面７ａが便座５側を向いた状態を保持し、使用者の背を支えることが可能なようになっている。また、便蓋７を便座５側と反対側に回転させたとき、その裏面が便座５側に向き、便蓋７の後端部が便蓋支持部６に当接し、便蓋７の裏面が便座５側を向いた状態を保持するようになっている。
【００２７】
次に、上記構成の背もたれ機能付き便座装置の動作説明を図１、図３、図４を参照して説明する。
【００２８】
この背もたれ機能付き便座１は、不使用時では、図１に示すように、便蓋支持部６が倒伏され、便蓋部７の裏面が便器開口部４上にある便座部５に被せられる状態となっている。
【００２９】
図１に示す状態から、使用時では、図３に示すように便蓋部７を持ち上げて便蓋支持部６を徐々に起立させる。そして、便蓋支持部６を、軸２０を中心として９０°以上回転させて、便蓋支持部６を起立した状態にする。便蓋支持部６が起立したとき、便蓋支持部６の後端部の端面２１の延長した面で構成される起立状態支え部８が台座３を構成する便座支持部１０の表面に当接して便蓋支持部６の起立状態が支えられる。
【００３０】
この状態で、便蓋支持部６に支持されている便蓋７を便座５側に回転させその表面７ａを便座５側に向け、便蓋７の先端部７ｂを便蓋支持部６に当接させる（図４）。
【００３１】
このようにすることにより、使用者が便座５に腰掛けたとき起立状態にある便蓋支持部６に支持されている便蓋７が背もたれ部となってその表面で使用者の背を支えることができる。
【００３２】
なお、本例では便器２と台座３が別体に構成されているが、一体に構成されていてもよい。
【図面の簡単な説明】
【００３３】
【図１】本発明に係る実施例の背もたれ機能付き便座装置の実施の一例を示す斜視図である。
【図２】本実施例の背もたれ機能付き便座装置の分解斜視図である。
【図３】本実施例の背もたれ機能付き便座装置の便蓋を持ち上げた状態を示す斜視図である。
【図４】本実施例の背もたれ機能付き便座装置の便蓋を背もたれとさせた状態を示す斜視図である。
【図５】図４のＡ−Ａ線断面図である。
【符号の説明】
【００３４】
１  背もたれ機能付き便座装置
２  便器
３  台座
４  便器開口部
５  便座
６  便蓋支持部
７  便蓋
７ａ  便蓋の表面
７ｂ  便蓋の先端部
８  起立状態支え部
９  ベース部
１０  便座支持部
１１  ブラケット部
１２  軸挿通孔
１３  軸挿通孔
１４  孔
１５  ブラケット部
１６  凹部
１７  軸挿通孔
１８  軸
１９  軸挿通孔
２０  軸
２１  端面
２２  軸挿通孔
２３  ブラケット部
２４  軸挿通孔
２５  軸
【図１】
2009247636.tif 000003
【図２】
2009247636.tif 000004
【図３】
2009247636.tif 000005
【図４】
2009247636.tif 000006
【図５】
2009247636.tif 000007